(57)【要約】【課題】盛芯で厚みを増した場合でも柔軟性を損なわないような時計バンドの構造を提案する。【解決手段】縁部分を留め合わせた表材１１，２１と裏材１２，２２との間に芯材１３，２３を挿入してある時計バンドについて、その芯材１３，２３の裏材１２，２２との当接面において少なくとも部分的に凹凸形状を形成する。凹凸形状による凹部分が存在することにより、芯材当接面は時計バンドの湾曲に伴い縮むことができるので、盛芯として厚くした芯材であっても曲がりやすくなる。【選択図】図１
2010051626.tif 000002
【特許請求の範囲】
【請求項１】
縁部分を留め合わせた表材と裏材との間に芯材を挿入してある時計バンドであって、
前記芯材の前記裏材との当接面において少なくとも部分的に凹凸形状が形成されている時計バンド。
【請求項２】
前記凹凸形状が、蛇腹形状である請求項１記載の時計バンド。
【請求項３】
前記凹凸形状が、パンチング孔により形成されている請求項１記載の時計バンド。
【請求項４】
前記凹凸形状が、バンド幅方向に延設した溝により形成されている請求項１記載の時計バンド。
【発明の詳細な説明】
【技術分野】
【０００１】
本発明は、腕時計用の時計バンドに係り、特に、表材と裏材との間に芯材を挿入した時計バンドに関する。
【背景技術】
【０００２】
時計バンドの中でも特に革製（天然皮革、合成皮革）の時計バンドには、表材と裏材との間に盛芯と呼ばれる芯材を挿入し、厚みを出すことで手触りと高級感を良くしたものがある（特許文献１〜４参照）。通常、盛芯である芯材は、美錠を付ける親側（１２時側）バンドと剣先側（６時側）バンドの双方において、基端部で厚く、基端部から離れるに従って徐々に薄くなるように形成されている。なお、基端部は、側（ケース）の“かん”に取り付けられる方のバンド端部を言う。
【０００３】
【特許文献１】実開平０１−０９７７１６号公報
【特許文献２】特開平０１−１６６７９５号公報
【特許文献３】実用新案登録第３００４１７７号公報
【特許文献４】特開２００６−２５５１３１号公報
【発明の開示】
【発明が解決しようとする課題】
【０００４】
近年の腕時計は、ムーブメントを収めた側を厚くして重厚感を出した製品が流行となっている。これに呼応して、時計バンドの基端部を側の厚みに相応しい程度に厚くし、見栄えを向上させることも行われている。しかし、革製時計バンドの場合、そのために盛芯を厚くして時計バンドの厚みを増すと、柔軟性が損なわれる結果、腕に沿って湾曲し難くなり、装着性が悪くなるといった改善点が出てきている。すなわち、厚くした芯材が固いために時計バンドの基端部が固くて曲がらず、腕に装着したときにバンド基端部と腕の間に隙間が空いて目立つ、フィット感が良くないといった不具合がある。
【０００５】
本発明は、この点に着目したもので、芯材で厚みを増した場合でも柔軟性を損なわないような時計バンドの構造を提案するものである。
【課題を解決するための手段】
【０００６】
上記課題を解決するためにここで提案するのは、縁部分を留め合わせた表材と裏材との間に芯材を挿入してある時計バンドであって、その芯材の前記裏材との当接面において少なくとも部分的に凹凸形状が形成されている時計バンドである。
【発明の効果】
【０００７】
この提案に係る時計バンドは、芯材の裏材当接面において少なくとも部分的に、すなわち例えばバンドの基端部寄りの部分に、凹凸形状を形成している。この凹凸形状による凹部分が存在することにより、該芯材当接面は、時計バンドの湾曲に伴い縮むことができるので、盛芯として厚くした芯材であっても曲がりやすくなる。すなわち、前述のように厚い盛芯によって基端部の厚みを増した時計バンドの場合でも、柔軟性が損なわれず、不具合が改善されることになる。
【発明を実施するための最良の形態】
【０００８】
図１に、本実施形態に係る時計バンドについて、要部を斜視図で示している。当該時計バンドは、側（ケース）の１２時側に取り付けられる親側バンド１０と、側の６時側に取り付けられる剣先側バンド２０と、を含んでいる。
【０００９】
親側バンド１０は、点線で示す表材１１と実線で示す裏材１２とを含み、これら表材１１及び裏材１２は、その縁部分を、へり返し、フランス、半へり、切り身などで仕立てて縫い合わせる（ステッチ）ことで、留め合わせてある。表材１１は、側へ取り付ける基端部にバネ棒を通す幅方向の貫通孔を形成してあり、反対の先端部には尾錠が取り付けられる。
【００１０】
このように縁部分を留め合わせた表材１１と裏材１２との間に、盛芯として芯材１３が挿入されている。芯材１３は、表層１４と裏層１５との二層構造とされ、表層１４及び裏層１５とも、革製（天然皮革、合成皮革）、ウレタン等の樹脂製（天然樹脂、合成樹脂）又はこれらの組み合わせである。芯材１３の厚みは、裏層１５の形状により、バンドの基端部で厚く、基端部から離れるに従って徐々に薄くなっている。
【００１１】
剣先側バンド２０も同じく、点線で示す表材２１と実線で示す裏材２２とを含み、これら表材２１及び裏材２２の縁部分を、上記のように仕立てて縫い合わせることで、留め合わせてある。表材２１は、側へ取り付ける基端部にバネ棒を通す幅方向の貫通孔を形成してあり、反対の先端部が剣先となっている。
【００１２】
表側バンド同様、縁部分を留め合わせた表材２１と裏材２２との間に、盛芯として芯材２３が挿入されている。芯材２３は、表層２４と裏層２５との二層構造とされ、表層２４及び裏層２５とも、表側バンド同様、革製、樹脂製又はこれらの組み合わせである。親側と同じく芯材２３の厚みは、裏層２５の形状により、バンドの基端部で厚く、基端部から離れるに従って徐々に薄くなっている。
【００１３】
親側及び剣先側の両芯材１３，２３において、裏材１２，２２と当接する裏層１５，２５の当接面には、凹凸形状が形成されている。この凹凸形状について、図２〜図７に具体例を示している。なお、本実施形態の芯材１３，２３は、盛芯として親側及び剣先側バンド１０，２０の基端部近傍に部分的に挿入されるものなので、当接面全体に凹凸形状を形成してあるが、これに限られるわけではない。すなわち、例えばバンド全体に厚み感を出すため全体的に芯材を入れるような場合には、少なくとも該芯材の基端部寄りの部分に、凹凸形状を形成してあれば良い。つまり、バンドの厚く曲がり難い部分において凹凸形状が形成してあれば目的を達成できる。また、芯材として二層構造のものを示しているが、これに限られるわけではなく、一層構造や二層以上の多層構造のものでも適用可能である。
【００１４】
図２の例は、芯材１３，２３の裏層１５，２５における裏材当接面１６，２６に、凹凸形状として蛇腹形状を形成した例である。当接面１６，２６に蛇腹形状（山と谷）を形成することにより、芯材１３，２３は、当接面１６，２６が縮む方へ曲がりやすくなる。したがって、盛芯として厚くした場合でも芯材１３，２３は、腕に沿って湾曲する方向へ曲がりやすく、バンド１０，２０の柔軟性が損なわれない。
【００１５】
図３の例は、裏層１５，２５における当接面１６，２６と、該当接面１６，２６の反対側の面１７，２７と、の両面に凹凸形状として蛇腹形状を形成した例である。このように表裏両面に蛇腹形状を形成することもできる。
【００１６】
図４の例は、裏層１５，２５における当接面１６，２６に、凹凸形状を多数のパンチング孔３０により形成した例である。裏層１５，２５に、パンチングによる孔３０を多数あけることにより、当接面１６，２６においてパンチング孔３０が凹部且つパンチング孔３０以外の部分が凸部となって、凹凸形状を形成することができる。湾曲時には、凹部であるパンチング孔３０が潰れることにより当接面１６，２６が縮むことができるので、芯材１３，２３は、当接面１６，２６が縮む方へ曲がりやすくなる。このパンチング孔３０による凹凸形状は、パンチングという比較的簡単な作業で形成することができる。
【００１７】
図５の例は、裏層１５，２５全体を波打形状とすることにより、当接面１６，２６に凹凸形状を形成した例である。この場合も上記蛇腹形状の例同様の作用効果を得ることができる。
【００１８】
図６の例は、芯材１３，２３を構成する表層１４，２４の裏面に、各片がかまぼこ状の裏層１５，２５を所定間隔で並列に接着することにより、その各裏層１５，２５の間の間隙をバンド幅方向の溝４０として、当接面１６，２６に並列の溝４０を複数延設した例である。溝４０が凹部且つ裏層１５，２５が凸部となって当接面１６，２６に凹凸形状が形成されている。湾曲時には、凹部である溝４０が潰れることにより当接面１６，２６が縮むことができるので、芯材１３，２３は、当接面１６，２６が縮む方へ曲がりやすくなる。本例の裏層１５，２５はかまぼこ状片として並列に接着するものとしてあるが、これに限らず、図２のような一体型の裏層１５，２５における当接面１６，２６の凹部分を切り欠いて溝とすることで、並列の溝を複数凹設するような溝構造も可能である。
【００１９】
図７の例は、図６同様に、バンド幅方向の並列な溝５０を複数、凹凸形状として当接面１６，２６に形成した例であるが、その溝５０は、断面が三角形となっている。すなわち、本例の裏層１５，２５は各片が三角柱状なので、その各間に形成される溝５０は断面が三角形である。この例によっても、図６の例同様の作用効果を得ることができる。本例の裏層１５，２５の場合、図２のような一体型の裏層１５，２５における当接面１６，２６の凹部分を断面三角に切り欠いて溝とすることで、並列の溝を複数凹設するような洗濯板状の溝構造とすることも可能である。
【図面の簡単な説明】
【００２０】
【図１】時計バンドの実施形態について、表材を透視して示した斜視図。
【図２】実施形態に係る芯材の第１例を示した斜視図。
【図３】実施形態に係る芯材の第２例を示した斜視図。
【図４】実施形態に係る芯材の第３例を示した斜視図。
【図５】実施形態に係る芯材の第４例を示した斜視図。
【図６】実施形態に係る芯材の第５例を示した斜視図。
【図７】実施形態に係る芯材の第６例を示した斜視図。
【符号の説明】
【００２１】
１０  親側バンド
１１  表材
１２  裏材
１３  芯材（盛芯）
１４  表層
１５  裏層
１６  当接面
２０  剣先側バンド
２１  表材
２２  裏材
２３  芯材（盛芯）
２４  表層
２５  裏層
２６  当接面
３０  パンチング孔
４０，５０  溝
【図２】
2010051626.tif 000003
【図３】
2010051626.tif 000004
【図４】
2010051626.tif 000005
【図５】
2010051626.tif 000006
【図６】
2010051626.tif 000007
【図７】
2010051626.tif 000008
【図１】
2010051626.tif 000009